(57)【要約】【課題】小型化することにより、コストを低減することができるとともに、接続現場での作業性を向上させることができる電力ケーブル導体の接続構造を提供する。【解決手段】接続すべき電力ケーブル５の端末から露出した電力ケーブル導体１がスリーブ部３を有する導体接続管２に挿入され、該導体接続管２のスリーブ部３が圧縮されてなる電力ケーブル導体１の接続構造において、前記導体接続管２は、スリーブ部３の中空部分が長手方向に設けられた隔壁４により分割されてなり、前記電力ケーブル導体１は、前記隔壁４により分割された状態で導体接続管２のスリーブ部３に挿入されている。【選択図】        図２
2004173392.tif 000002
【特許請求の範囲】
【請求項１】
接続すべき電力ケーブル端末から露出した電力ケーブル導体がスリーブ部を有する導体接続管に挿入され、該導体接続管のスリーブ部が圧縮されてなる電力ケーブル導体の接続構造において、
前記導体接続管は、スリーブ部の中空部分が長手方向に設けられた隔壁により分割されてなり、前記電力ケーブル導体は、前記隔壁により分割された状態で導体接続管のスリーブ部に挿入されていることを特徴とする電力ケーブル導体の接続構造。
【請求項２】
電力ケーブル導体は分割導体からなり、前記導体接続管のスリーブ部は、中空部が電力ケーブル導体の分割されたセグメントの断面形状と同等の断面形状に前記隔壁により分割されていることを特徴とする請求項１記載の電力ケーブル導体の接続構造。
【請求項３】
前記導体接続管は、少なくともスリーブ部の内面または前記隔壁表面に凹凸が設けられたものであることを特徴とする請求項１または２記載の電力ケーブル導体の接続構造。
【発明の詳細な説明】
【０００１】
【発明の属する技術分野】
本発明は、電力ケーブル導体の接続構造、特に圧縮導体接続管を用いた接続構造に関するものである。
【０００２】
【従来の技術】
電力ケーブルの導体接続部には、所定の抗張力と電気抵抗を有することが要求される。従来、電力ケーブルの導体接続は、接続すべき一対の電力ケーブル導体を円筒状の金属導体接続管に両端から挿入し、前記導体接続管を外側から油圧工具などで圧縮することにより行っていた。従来の導体接続管では、実質的に抗張力を発生させる部分はケーブル導体と導体接続管が接する面、すなわち電力ケーブル導体の外周面のみであり、十分な抗張力をもたせるためには、導体接続管の長さを長くすることにより対応していた（例えば、非特許文献１参照。）。
【０００３】
【非特許文献１】飯塚喜八郎  監修、電力ケーブル技術ハンドブック（電気書院、１９８９年  ３月２５日）、ｐ４２３  〜４２７
【０００４】
【発明が解決しようとする課題】
しかしながら、導体接続部の抗張力を大きくするために導体接続管の長さを長くすると、導体接続部全体の大きさが大きくなり、導体接続部のコストが高くなるとともに、マンホール内などでの作業性が悪くなるという問題があった。
【０００５】
本発明は、上述した問題に鑑み、従来よりも短くても所定の抗張力を得ることができる電力ケーブル導体の接続構造を提供することを目的とする。
【０００６】
【課題を解決するための手段】
本発明は上記目的を達成するためになされたもので、請求項１記載の発明は、接続すべき電力ケーブル端末から露出した電力ケーブル導体がスリーブ部を有する導体接続管に挿入され、該導体接続管のスリーブ部が圧縮されてなる電力ケーブル導体の接続構造において、前記導体接続管は、スリーブ部の中空部分が長手方向に設けられた隔壁により分割されてなり、前記電力ケーブル導体は、前記隔壁により分割された状態で導体接続管のスリーブ部に挿入されていることを特徴とするものである。
【０００７】
また、請求項２記載の発明は、請求項１記載の発明において、電力ケーブル導体は分割導体からなり、前記導体接続管のスリーブ部は、中空部が電力ケーブル導体の分割されたセグメントの断面形状と同等の断面形状に前記隔壁により分割されていることを特徴とするものである。
ここで、電力ケーブル導体の分割されたセグメントとは、分割導体からなる電力ケーブル導体の１／４  、１／５  などに略均等に分割された部分を意味する。
【０００８】
さらに、請求項３記載の発明は、請求項１または２記載の発明において、前記導体接続管は、少なくともスリーブ部の内面または前記隔壁表面に凹凸が設けられたものであることを特徴とするものである。
【０００９】
請求項１記載の発明によれば、電力ケーブル導体は、導体接続管のスリーブ部に設けられた隔壁により分割された状態でスリーブ部に挿入され、圧縮されているため、電力ケーブル導体は外周面でスリーブ部内面に接触するほか、分割された面で隔壁に接触し、抗張力を発生させることができる。したがって、同等の抗張力を発生させるに要する導体接続管の長さを従来よりも短くすることができる。
【００１０】
また、請求項２記載の発明によれば、電力ケーブル導体は予めセグメントに分１された分割導体からなり、また、スリーブ部の中空部も隔壁により前記セグメントの断面形状と同等の形状に分割されているため、前記隔壁を隣接するセグメント間に挿入して、各セグメントをスリーブ部内の分割された空間に挿入することにより、電力ケーブル導体を容易にスリーブ部に挿入することができる。
【００１１】
さらに、請求項３記載の発明によれば、少なくともスリーブ部の内面または前記隔壁表面に凹凸が設けられているため、スリーブ部の圧縮時にこれらの凹凸が電力ケーブル導体に食い込み、抗張力を大きくすることができる。
【００１２】
【発明の実施の形態】
以下、図面に基づいて本発明の実施の形態を詳細に説明する。
図１（ａ）、（ｂ）はそれぞれ、本発明にかかる電力ケーブル導体の接続構造の一実施形態を構成する電力ケーブル導体の断面図および導体接続管の断面図である。
【００１３】
電力ケーブル導体１は、図１に示すように、撚り線からなる５個の扇型のセグメント１ａを撚り合わせてなる分割導体である。また、導体接続管２は、円筒状状の金属スリーブ部３の中空部に５個の隔壁４を設け、スリーブ部３の中空部を中心軸の回りに扇型に略均等に５分割したものである。５個の隔壁４は中心から放射状になるように一体化して、スリーブ部３内に挿入されて固定されている。
【００１４】
図２（ａ）、（ｂ）はそれぞれ、前記電力ケーブル導体１を前記導体接続管２で接続した接続構造の長手方向の部分断面図およびそのＡ−Ａ断面図である。
接続すべき一対の電力ケーブル５の端末から露出した電力ケーブル導体１はスリーブ部３内に挿入され、電力ケーブル導体１の各セグメント１ａ間には隔壁４が挿入されている。この状態で油圧式の圧縮装置でスリーブ部３が径方向に圧縮されている。
【００１５】
本実施形態が従来例と異なる特徴的なことは、導体接続管２に挿入された電力ケーブル導体１の各セグメント１ａ間に隔壁４が挿入されており、その状態で導体接続管２のスリーブ部３が径方向に圧縮されていることである。したがって、電力ケーブル導体１は外周面でスリーブ部３の内面に圧接するとともに、各セグメント１ａの側面で隔壁４に圧接している。
【００１６】
上述のように、本実施形態では、電力ケーブル導体１は従来のように外周面でスリーブ部３の内面に圧接するのに加えて、各セグメント１ａの側面で隔壁４に圧接しているため、従来よりも電力ケーブル導体１と導体接続管２の圧接面積が大きくなり、長手方向の抗張力が大きくなる。したがって、所望の抗張力を要する電力ケーブル導体の接続部を従来よりも短縮することができる。
【００１７】
図３（ａ）、（ｂ）はそれぞれ、他の実施形態の導体接続管２を構成するスリーブ部３の長手方向の断面図および隔壁４の斜視図である。
本実施形態の導体接続管２を構成するスリーブ部３は、図３（ａ）に示すように、両端部３ａの内側が面取りされて内側に傾斜している。また、スリーブ部３の内面には円周方向に所望の間隔でＶ溝３ｂが設けられている。
また、一体化した５個の隔壁４は、図３（ｂ）に示すように、長手方向の両端部４ａの両面が傾斜してテーパ状になっている。また、各隔壁４には一体化した中心軸から放射状に（スリーブ部３に挿入された状態ではスリーブ部３の径方向に）所望の間隔でＶ溝４ｂが設けられている。
【００１８】
本実施形態では、スリーブ部３の端部が上述のように面取りされており、また、隔壁４の端部４ａは両面が傾斜してテーパになっているので、電力ケーブル導体１をスリーブ部３に挿入しやすくなり、また、電力ケーブル導体１のセグメント１ａ間に隔壁４を挿入し易くなる。
【００１９】
また、スリーブ部３の内面に円周方向のＶ溝３ｂが設けられ、隔壁４にスリーブ部３の径方向にＶ溝４ｂが設けられて、凹凸が形成されており、これらのＶ溝３ｂ、４ｂは電力ケーブル導体１の長手方向に直交するように設けられている。したがって、電力ケーブル導体１が挿入されたスリーブ部３を径方向に圧縮すると、凹凸を形成しているＶ溝３ｂ、４ｂの両側端が電力ケーブル導体１の外周およびセグメント１ａの側面に食い込み、電力ケーブル導体１と導体接続管２の接続部の抗張力がより大きくなる。
【００２０】
なお、本発明は上記実施形態に限定されることはない。例えば、上記実施形態では、電力ケーブル導体１は５分割された分割導体であったが、５分割に限定されることはなく、また、分割導体に限定されることもない。したがって、導体接続管２のスリーブ部３の内部空間の隔壁４による分割も上記実施形態にように５分割に限定されることはない。また、スリーブ部３の内面または隔壁４の表面に設けられる凹凸の形状は、Ｖ溝に限定されることはない。
【００２１】
【発明の効果】
以上説明したように本発明によれば、電力ケーブル導体と導体接続管の圧接面積が従来よりも大きくなるため、所望の抗張力を要する電力ケーブル導体の接続部を従来よりも短縮し、小型化することができ、コストを低減することができるとともに、接続現場での作業性を向上させることができるという優れた効果がある。
【図面の簡単な説明】
【図１】（ａ）、（ｂ）はそれぞれ、本発明にかかる電力ケーブル導体の接続構造の一実施形態を構成する電力ケーブル導体の断面図および導体接続管の断面図である。
【図２】（ａ）、（ｂ）はそれぞれ、本発明にかかる電力ケーブル導体の接続構造の一実施形態の長手方向の部分断面図およびそのＡ−Ａ断面図である。
【図３】（ａ）、（ｂ）はそれぞれ、他の実施形態の導体接続管を構成するスリーブ部の長手方向の断面図および隔壁の斜視図である。
【符号の説明】
１                電力ケーブル導体
１ａ              セグメント
２                導体接続管
３                スリーブ部
３ａ、４ａ        端部
３ｂ、４ｂ        Ｖ溝
４                隔壁
５                電力ケーブル
【図１】
2004173392.tif 000003
【図２】
2004173392.tif 000004
【図３】
2004173392.tif 000005